(57)【要約】      （修正有）【課題】操作感に優れたスライド動作を行うスライド機構及び携帯端末を提供する。【解決手段】本体とカバーとを重ね合わせたままの状態で前後方向にスライド移動させるスライド機構９に、本体とカバーのいずれか一方側に、スライド方向に沿って高さが変化するガイドレール５７を有するカム５１を備え、他方側に、ガイドレール５７に当接する当接体２８を備え、当接体２８をガイドレール５７へ向けて付勢する付勢手段１４を備えた。【選択図】図３
2006186201.tif 000002
【特許請求の範囲】
【請求項１】
本体とカバーとを重ね合わせたままの状態で前後方向にスライド移動させるスライド機構であって、
前記本体とカバーのいずれか一方側に、スライド方向に沿って高さが変化するガイドレールを有するカムを備え、
他方側に、前記ガイドレールに当接する当接体を備え、
該当接体を前記ガイドレールへ向けて付勢する付勢手段を備えた
スライド機構。
【請求項２】
前記当接体を、前記ガイドレールに沿って転動する回転体で形成した
請求項１記載のスライド機構。
【請求項３】
前記カムを備えた本体又はカバー側に、スライド方向に沿ったスライドガイドを前記カムと並設し、
前記当接体を備えたカバー又は本体側に、上記スライドガイドに当接し該スライドガイドに沿って転動するスライド回転体を備え、
該スライド回転体と上記スライドガイドとの位置関係を、前記当接体が前記ガイドレールに当接する方向と逆方向の側から上記スライド回転体が上記スライドガイドに当接する位置関係に構成した
請求項１又は２記載のスライド機構。
【請求項４】
前記当接体を備えたカバー又は本体側に、前記ガイドレールの高さ方向へ回動するアームを枢支し、
該アームに前記当接体を取り付け、
前記付勢手段の一端を上記アームに取り付けた
請求項１、２又は３記載のスライド機構。
【請求項５】
前記カムに、スライド方向に沿った高さの変化が異なる複数のガイドレールを、該ガイドレールの厚み方向へ多段に設け、
スライド移動する毎に前記当接体を変段させて該当接体が当接するガイドレールを順番に変更させる変段手段を備えた
請求項１から４のいずれか１つに記載のスライド機構。
【請求項６】
前記ガイドレールを、山型に形成した
請求項１から５のいずれか１つに記載のスライド機構。
【請求項７】
前記ガイドレールを、スライド方向に連なった２つの山型に形成し、
両山型の間の谷部に前記当接体が当接する位置を前記本体とカバーの閉位置とし、
該閉位置から前記当接体が一方の山型を乗り越えた第１開位置と、逆方向である他方の山型を乗り越えた第２開位置との両方へスライド可能に構成した
請求項１から６のいずれか１つに記載のスライド機構。
【請求項８】
請求項１から７のいずれか１つに記載のスライド機構を用いた
携帯端末。
【発明の詳細な説明】
【技術分野】
【０００１】
この発明は、例えば携帯電話機、ＰＤＡ（Personal Digital Assistance）、電子手帳、デジタルカメラ、デジタルビデオカメラ等の携帯端末の開閉部分に用いられるようなスライド機構に関し、さらに詳しくは本体とカバーとを重ね合せたままの平面方向にカバーを開操作した場合の該カバーのスライドを付勢するスライド機構および携帯端末に関する。
【背景技術】
【０００２】
従来、携帯端末の１つである携帯電話では、本体とカバーが開閉するものが多数提供されている。  
このような本体とカバーの開閉としては、折りたたみ方式、スウィング方式、スライド方式が提案されている。
【０００３】
折りたたみ方式としては、側面視くの字型に折り曲げるように内面を対向させて折りたたみ、この閉位置からボタンの押下によって開位置に自動で開くものが提案されている。
【０００４】
スウィング方式としては、カバーが半回転（スウィング）して開位置で停止するものが提案されており、この開位置へは半自動で移行するものが提案されている。
【０００５】
スライド方式としては、モータ駆動によってカバーを開閉するもの（特許文献１参照）、途中までカバーをスライドさせると後はバネの力で半自動で開位置又は閉位置まで移動するもの（特許文献２参照）が提案されている。
【０００６】
ここで、モータ駆動によるものは、バッテリの電力を消費してしまうため、通話可能時間が短くなって携帯電話としては好ましくない問題があった。
【０００７】
また、バネの力で半自動で開閉するものは、利用者にとって適当な操作感を得るための調整が難しい問題があった。  
詳述すると、図２０の説明図に示すように、カバー１０２は、（Ａ）の閉位置から、（Ｂ）の中立位置を越えて、（Ｃ）の開位置まで移動する。  
このとき、バネ１０９の付勢力は、（Ｂ）の位置で最大となり、その後は自動でカバーの開動作又は閉動作を行う。
【０００８】
ここで、利用者の操作感の良いようにバネ１０９による付勢力を調整しようとすると、バネ１０９そのものの弾性力の特性で調整するくらいしかできなかった。この調整のためには、膨大な試行錯誤が必要となってしまう問題があった。
【０００９】
また、中立位置を越えた後の開放動作については、例えば最終的な開位置で静かに停止させるなど、微妙な調整をすることはできなかった。  
また、バネ１０９は、一端を本体１０３に取り付け、他端をカバー１０２に取り付ける必要があるが、バネ１０９が弾性力を有するためこの組み立てが難しい問題があった。
【００１０】
【特許文献１】特開２００４−３１２９８２号公報
【特許文献２】特開２００４−２５３５２６号広報
【発明の開示】
【発明が解決しようとする課題】
【００１１】
この発明は、上述の問題に鑑みて、操作感に優れたスライド動作を行うスライド機構及び携帯端末を提供することを目的とする。
【課題を解決するための手段】
【００１２】
この発明は、本体とカバーとを重ね合わせたままの状態で前後方向にスライド移動させるスライド機構であって、前記本体とカバーのいずれか一方側に、スライド方向に沿って高さが変化するガイドレールを有するカムを備え、他方側に、前記ガイドレールに当接する当接体を備え、該当接体を前記ガイドレールへ向けて付勢する付勢手段を備えたスライド機構であることを特徴とする。
【００１３】
これにより、本体とカバーのスライド移動を付勢することができ、たとえばある程度まで人手でスライド移動すると、それ以降は付勢力で自動にスライドするという半自動を実現できる。
【００１４】
また、ガイドレールの変化形状、ガイドレールの高さ、及び付勢手段の付勢力という３つのパラメータを調整することができ、利用者の操作感の良い半自動開閉を高精度に実現することができる。
【００１５】
また、最も付勢力が強い位置、スライド移動中の付勢力のかかり具合、又はこの両方を、ガイドレールの変化の形状によって調整ができる。従って、操作感の調整が容易であり、また、操作感の異なる複数種類のスライド機構を提供することも容易である。
【００１６】
この発明の態様として、前記当接体を、前記ガイドレールに沿って転動する回転体で形成することができる。  
これにより、スライド移動を滑りよくスムーズに行うことができる。特に、付勢手段による付勢力があるため、この付勢力によって高められる摩擦力の減少と、磨耗の低減による耐久性の向上を図ることができる。
【００１７】
またこの発明の態様として、前記カムを備えた本体又はカバー側に、スライド方向に沿ったスライドガイドを前記カムと並設し、前記当接体を備えたカバー又は本体側に、上記スライドガイドに当接し該スライドガイドに沿って転動するスライド回転体を備え、該スライド回転体と上記スライドガイドとの位置関係を、前記当接体が前記ガイドレールに当接する方向と逆方向の側から上記スライド回転体が上記スライドガイドに当接する位置関係に構成することができる。  
位置関係について詳述すると、当接体がガイドレールに右側から当接する場合は、スライド回転体がスライドガイドに左側から当接することになる。また、当接体がガイドレールに左側から当接する場合は、スライド回転体がスライドガイドに右側から当接することになる。
【００１８】
これにより、前記当接体とスライド回転体が前記ガイドレールとスライドガイドの外側に配置されれば、付勢力によって狭まろうとする当接体とスライド回転体でガイドレールとスライドガイドを挟むことができる。  
また、前記当接体とスライド回転体が前記ガイドレールとスライドガイドの内側に配置されれば、付勢力によって広がろうとする当接体とスライド回転体をガイドレールとスライドガイドの間に挟むことができる。  
従って、付勢手段による付勢力のかかり具合を安定させることができる。
【００１９】
またこの発明の態様として、前記当接体を備えたカバー又は本体側に、前記ガイドレールの高さ方向へ回動するアームを枢支し、該アームに前記当接体を取り付け、前記付勢手段の一端を上記アームに取り付けることができる。
【００２０】
これにより、付勢手段で付勢している当接体をガイドレールに沿って移動させる動作を、安定して行わせることができる。また、この安定した動作を簡単な構成で実現することができる。
【００２１】
またこの発明の態様として、前記カムに、スライド方向に沿った高さの変化が異なる複数のガイドレールを、該ガイドレールの厚み方向へ多段に設け、スライド移動する毎に前記当接体を変段させて該当接体が当接するガイドレールを順番に変更させる変段手段を備えることができる。
【００２２】
これにより、スライド移動毎に操作感を個別に設定できるスライド機構を提供できる。  
従って、例えば開位置へ開く場合と、閉位置へ閉じる場合とでは、当接体を異なるガイドレールに沿って移動させ、開動作の操作感と閉動作の操作感がそれぞれに適切なように構成するといったことができる。
【００２３】
またこの発明の態様として、前記ガイドレールを、山型に形成することができる。  
これにより、途中まで利用者の手でスライド移動されて当接体がガイドレールの山型の頂点を越えれば、その後は付勢手段の付勢力でスライド移動することができる。従って、半自動でのスライド開閉を行うことができる。
【００２４】
またこの発明の態様として、前記ガイドレールを、スライド方向に連なった２つの山型に形成し、両山型の間の谷部に前記当接体が当接する位置を前記本体とカバーの閉位置とし、該閉位置から前記当接体が一方の山型を乗り越えた第１開位置と、逆方向である他方の山型を乗り越えた第２開位置との両方へスライド可能に構成することができる。
【００２５】
これにより、閉位置から前後両方へ開動作するスライド機構を提供できる。  
従って、例えば携帯電話等の携帯端末にこのスライド機構を組み込めば、前方へ開動作したときと、後方へ開動作したときとで、異なる機能を提供するといったことが可能となる。
【００２６】
またこの発明は、前記スライド機構を用いた携帯端末とすることができる。  
前記携帯端末としては、スライド機構に付勢されて開閉操作される本体とカバーとからなる携帯電話機、ＰＤＡ（Personal Digital Assistance）、電子手帳、デジタルカメラ、デジタルビデオカメラ等の機器に適用することができる。
【発明の効果】
【００２７】
この発明により、スライド移動を付勢することができ、操作感の良いスライド機構を提供することができる。
【発明を実施するための最良の形態】
【００２８】
この発明の一実施形態を以下図面と共に説明する。  
【実施例１】
【００２９】
まず、図１に示す斜視図、及び図２に示す分解説明図と共に、第１実施例の携帯電話１の外観構成について説明する。  
携帯電話１は、長方形のカバー側筐体２と、長方形の本体側筐体３とを重ね合わせて構成している。
【００３０】
カバー側筐体２の上面には、液晶表示部の表示面４を備えている。  
カバー側筐体２の底面には、図２の（Ｙ１）の分解平面図及び（Ｚ１）の分解正面図に示すように、中央付近に付勢機構１０を備えている。  
カバー側筐体２の底面左右の側面部には、正面視Ｌ字型のスライド溝７を左右に対向させて備えている。
【００３１】
本体側筐体３の上面には、図２の（Ｙ２）の分解平面図及び（Ｚ２）の分解正面図に示すように、中央部から奥側（図２の（Ｙ２）の上方）に渡ってガイド機構４０を備えており、手前側（図２の（Ｙ２）の下方）には、文字や数字や操作の入力を行う入力ボタン６を複数配設している。
【００３２】
なお、図２の（Ｚ１）では図示省略しているが、前述したカバー側筐体２の付勢機構１０は、カバー側筐体２の底面から一部突出させて構成しており、本体側筐体３のガイド機構４０と付勢機構１０が係合するようにしている。
【００３３】
本体側筐体３の上面の奥側（図２の（Ｙ２）の上方）の左右側部には、正面視Ｌ字型の係合突起５を対向させて備えている。この係合突起５は、カバー側筐体２のスライド溝７に係合してスライド移動を行うように構成している。
【００３４】
以上の構成により、係合突起５がスライド溝７に沿って前後へスライド移動し、これによってカバー側筐体２と本体側筐体３が前後へスライド移動させることができる。
【００３５】
なお、携帯電話１には、前記液晶表示部、及び入力ボタン６だけでなく、通信網への無線通信を行う通信部、音を鳴らす発音部（スピーカ）、カメラ撮影あるいはビデオ撮影を行う撮影部、データ及びプログラムを格納する記憶部、これらを制御する制御部、及びこれらに電力供給を行う電源部等の電子部品を、カバー側筐体２と本体側筐体３の内部に分配して備えている。
【００３６】
次に、図３に示す分解斜視図、図４に示す斜視図、図５に示す斜視図、図６に示す平面図（一部断面図）、及び図７に示す正面図（一部断面図）と共に、付勢機構１０とガイド機構４０で構成するスライド機構９の構成について説明する。
【００３７】
スライド機構９は、図３の分解斜視図に示すように、ガイド機構４０に付勢機構１０を係合させてスライド可能に構成している。
【００３８】
付勢機構１０は、中央に駆動用穴３５を設けた板状のプレート１１の上面（表面）に、左右へ回動するアーム２８を枢着している。このアーム２８は、上下方向の厚みが薄い長板状に形成している。
【００３９】
アーム２８は、一端をプレート１１の奥側の上面に枢着ピン２７にて枢着しており、他端が手前側にある位置を０°として９０°以下の範囲、具体的には３０〜４５°程度までの範囲で右方向へ回動する。
【００４０】
アーム２８の他端側（図示手前側）には、バネ係止突起１２を備えており、弦巻バネ１４の一端を接続している。弦巻バネ１４の他端は、プレート１１の左手前角の近傍位置の上面に備えたバネ係止突起２３に接続している。  
これにより、右方向へ回動した状態のアーム２８を、弦巻バネ１４の弾性力によって左方向へ付勢する。
【００４１】
プレート１１の上面の左側中央には、プレート１１の底面のローラ１９を軸支する枢軸１３を設けている。  
また、プレート１１の上面には、左下角、右上角、及び右下角の各近傍位置に、装着穴２２，３０，３２を穿設している。この装着穴２２，３０，３２のそれぞれに、ネジ２１，２９，３１を下方から挿通してカバー側筐体２の裏側に螺着し、付勢機構１０（プレート１１）をカバー側筐体２の裏側に取り付ける。
【００４２】
プレート１１の底面（裏面）には、図４の下方から見た斜視図に示すように、駆動用穴３５の左側位置となるプレート１１の中央付近に、断面逆Ｔ字型の抜け止め突起１８を備えている。この抜け止め突起１８は、背面視前後方向に長い長方形に形成している。
【００４３】
抜け止め突起１８の左側、すなわちプレート１１の底面の左側部には、ローラ２４，１９を前後方向に適度の間隔を空けて備えている。ローラ１９は、枢軸１３により軸支しており、ローラ２４は、バネ係止突起２３の裏側に設けた枢軸２３ａにより軸支している。
【００４４】
アーム２８の底面（裏面）には、バネ係止突起１２（図３）の裏側に設けた枢軸１２ａにより、ローラ３３を軸支している。  
ローラ１９，２４，３３は、いずれも適度の厚みを有する円盤形状のボールベアリングであり、上下方向（表裏方向）を軸として回転するように備えている。ローラ１９，２４，３３の円周面は、金属、プラスチック、又はゴム等の適宜の材質で構成している。  
なお、付勢機構１０をカバー側筐体２に装着している位置関係は、このローラ１９，２４，３３および抜け止め突起１８が、カバー側筐体２の底面より突出するように構成している。
【００４５】
図３の分解斜視図に示したように、ガイド機構４０は、レールプレート４１の左側にカムプレート５１を並設して構成している。  
レールプレート４１は、断面が略Ｔ字型で前後方向に長い形状に形成し、中央を前後方向に一直線に上方へ突出させている。この突出部の右側面に、抜け止め溝４３を形成している。
【００４６】
また、この突出部の左側面を前後方向に長い鉛直面に形成し、この鉛直面によりスライド用レール４２を構成している。  
上述したプレート１１とローラ１９，２４とは、このスライド用レール４２に沿ってスライド移動するトロリーを構成している。スライド移動の際には、ローラ１９，２４がスライド用レール４２に沿って転動する。
【００４７】
カムプレート５１は、略長方形の適度な厚みを有する板状で、上面の右側を凹に段下げしてローラ回動空間５３を形成している。  
このローラ回動空間５３の左側となる段下げ部分の鉛直面は、平面視逆くの字型の付勢用レール５７を形成している。付勢用レール５７は、中央部を最も右側に凸にして凸部５８を形成し、前後両端部を最も左側へ凹にして凹部５５，６３を形成している。
【００４８】
凸部５８及び凹部５５，６３は、いずれもローラ３３（図４）の円周と同程度に湾曲させて形成し、凹部５５と凸部５８の間、及び凸部５８と凹部６３の間は、同一距離の直線に形成している。
【００４９】
カムプレート５１の左側面には、前後方向に長い抜け止め溝６７を形成し、該抜け止め溝６７を抜け止め溝４３に対向させて設けている。  
カムプレート５１の底面は、レールプレート４１の抜け止め溝４３より右側にある板状の台部４４の上面に面対応させてぴたりと接触させている。
【００５０】
カムプレート５１の左側には、上下に貫通する装着穴５２，５６，６２，６６を前後方向に並べて穿設している。この装着穴５２，５６，６２，６６は、台部４４を貫通している。
【００５１】
この装着穴５２，５６，６２，６６に、図示省略するネジをそれぞれ上から挿入して本体側筐体３に螺着することで、ガイド機構４０を本体側筐体３に固定している。
【００５２】
なお、カムプレート５１の右側部には、切り欠き部６１，６５を形成しており、本体側筐体３に固定する際にこの切り欠き部６１，６５によって位置決めできるようにしている。
【００５３】
この付勢機構１０と、ガイド機構４０とを組み合わせることで、図５の斜視図に示すように、スライド機構９が完成する。
【００５４】
組み合わせに際しては、スライド機構９をガイド機構４０の上面の高さで横断して示す図６の平面図に示すように、スライド用レール４２にローラ１９，２４を外側（図示左側）から当接させる。  
ローラ３３は、付勢用レール５７に外側（図示右側）から当接させる。このとき、ローラ３３のスライド方向位置（図示上下方向の位置）は、スライド移動によってアーム２８が回動しても、ローラ１９とローラ２４の間に位置するように構成している。
【００５５】
抜け止め溝４３と抜け止め溝６７の間には、抜け止め突起１８を挿通する。詳述すると、図７の正面一部断面図（図６のＢ−Ｂ断面）に示すように、抜け止め溝４３は、下方位置を外側（図示左側）に凹に形成して凹部４３ａを形成している。なお、前述の図６（一部横断して示す平面図）における断面部分は、図７に示すＡ−Ａ断面に該当する。
【００５６】
また、抜け止め溝６７は、下方位置を外側（図示右側）に凹に形成して凹部６７ａを形成し、この凹部６７ａを凹部４３ａと対向させている。  
この凹部６７ａと凹部４３ａの間に、抜け止め突起１８の幅広部分が嵌合し、付勢機構１０を抜け止めしている。
【００５７】
ローラ１９，２４，３３は、いずれも高さ位置（図７の上下方向位置）を同じに構成しており、スライド用レール４２と付勢用レール５７は、左右に対向配置して高さ位置を同じに構成している。
【００５８】
これにより、ローラ１９，２４が左からスライド用レール４２に当接し、ローラ３３が右から付勢用レール５７に当接する際に、ローラ１９，２４，３３がスライド用レール４２、付勢用レール５７を安定して挟み込むように構成している。
【００５９】
以上の構成により、前後方向へ安定してスライド移動し、ある程度までスライドすると、以降は自然に滑り出して自動でスライドするスライド機構９を提供することができる。
【００６０】
詳述すると、図８の（Ａ）の平面図に示すようにカバー側筐体２と本体側筐体３が閉じた位置では、図９の（Ａ）の平面図に示すように、弦巻バネ１４が最も収縮した状態となり、付勢機構１０がガイド機構４０の手前位置（図示下方位置）で安定する。
【００６１】
このとき、図１０の（Ａ）の一部断面平面図に示すように、アーム２８が前後方向で約０°の位置となり、ローラ３３が付勢用レール５７の手前側の凹部６３に当接する。
【００６２】
図８の（Ｂ）に示すように、ある程度までカバー側筐体２をスライド移動させて開けると、図９の（Ｂ）に示すように、弦巻バネ１４が最も伸長した状態となり、付勢機構１０がガイド機構４０の中央位置まで移動する。
【００６３】
このとき、図１０の（Ｂ）に示すように、アーム２８が前後方向で約４０°の位置となり、ローラ３３が付勢用レール５７の中央の凸部５８に当接する。このように図９の（Ａ）から（Ｂ）に示す手動スライドの間は、弦巻バネ１４の付勢力により、カバー側筐体２（付勢機構１０）が手前側に閉じようとする力が働く。
【００６４】
ローラ３３が凸部５８に当接している中立位置を越えてスライド移動させると、ローラ３３が凸部５８を乗り越える。これ以降は、弦巻バネ１４の付勢力により、カバー側筐体２（付勢機構１０）が奥側に開こうとする力が働く。
【００６５】
従って、図８の（Ｃ）に示すように、カバー側筐体２が全開位置まで自動で移動し、図９の（Ｃ）に示すように、弦巻バネ１４が最も伸縮した状態となり、付勢機構１０がガイド機構４０の奥位置（図示上方位置）で安定する。
【００６６】
このとき、図１０の（Ｃ）に示すように、アーム２８が前後方向で約０°の位置となり、ローラ３３が付勢用レール５７の奥側の凹部５５に当接する。
【００６７】
図１０の（Ｃ）に示した開位置から、図１０の（Ａ）に示した閉位置へスライド移動させる場合は、上述した動作と逆の動作となり、中立位置まで手動でスライドさせれば、中立位置を越えた時点から自動で閉位置までスライド移動する。
【００６８】
このように、途中までスライド移動させれば、後は自動で開位置までスライド移動する半自動の携帯電話１を提供することができる。このスライド開閉の往復運動は、繰返して何度でも行うことができ、利用者はいつでも開位置あるいは閉位置で携帯電話１を利用することができる。
【００６９】
中立位置まで押し開けるあるいは押し閉じるために必要な力は、付勢用レール５７の凸部５８の高さｈ（図６）を変化させること、及び弦巻バネ１４の弾性力の強弱を異ならせることのいずれか一方、または両方で調整することができ、微細な調整を行うことができる。
【００７０】
また、山型に形成した付勢用レール５７の傾斜角度を調整することや、直線状に形成した凹部５５と凸部５８の間及び凸部５８と凹部６３の間を湾曲させて形成すること等により、スライド移動中の付勢力のかかり具合を、高精度に微調整することができる。
【００７１】
スライド機構９は、付勢機構１０とガイド機構４０によりユニット化して構成されているため、組み立てが容易であり、安定した動作を得ることができる。
【００７２】
ローラ１９，２４，３３の３点支持により、スライド用レール４２及び付勢用レール５７を挟み込んでスライドするため、安定した動作を得ることができる。
【００７３】
特に、スライド用レール４２に沿うローラ１９，２４の間位置で、ローラ３３が付勢用レール５７に付勢されるため、常に安定した動作が得られ、ローラ１９，２４がスライド用レール４２から離れてしまうことを防止できる。
【００７４】
全開位置と全閉位置では、付勢用レール５７の高さｈが最も短い凹部５５又は凹部６３にローラ３３が当接し、弦巻バネ１４が最も収縮した状態となるため、勝手に開移動あるいは閉移動することや、ガタツキを防止できる。
【００７５】
なお、凹部５５及び凹部６３を、付勢用レール５７の斜面から少し落ち込むように僅かな段差を設けて形成しても良い。この場合は、開位置及び閉位置で安定させることができ、ガタツキをより防止することができる。
【００７６】
プレート１１、アーム２８、レールプレート４１、及びカムプレート５１は何れも上下方向の厚みが薄い板状に形成しているため、スライド機構９の全体の厚みを薄く構成することができる。  
携帯電話１は、持ちやすい小型サイズが好まれ、かつ筐体内部に電子部品が複雑に交錯しているが、このような携帯電話１にスライド機構９を取り付けても、スライド機構９が薄型であるため携帯電話１の小型化を実現することができる。従って、小型で操作感の良いスライド動作をするスライド開閉タイプの携帯電話１を提供することが可能となる。
【００７７】
なお、ローラ１９，２４，３３はボールベアリング内蔵で構成したが、ボールベアリングのないローラで構成しても良い。さらには、ローラ１９，２４，３３の代わりに回動しない当接部材を用いても良い。
【００７８】
また、カバー側筐体２と本体側筐体３のスライド移動、及び付勢機構１０とガイド機構４０のスライド移動は、一方向への直線的な平行移動としたが、少し湾曲させたスライド移動となるように構成しても良い。
【００７９】
また、ガイド機構４０と左右対称のガイド機構を右側にも並設し、付勢用レール５７を対向させて平面視鼓型の付勢用レール５７とし、付勢機構１０と左右対称の付勢機構を右側にも並設して、左右対称のスライド機構９としても良い。  
この場合は、２つのアーム２８の各ローラ３３が、各付勢用レール５７に弦巻バネ１４で付勢されることとなり、左右対称に付勢力がかかるスライド機構９を提供することができる。
【００８０】
また、弦巻バネ１４の代わりにクの字型のバネや板バネを設けて、ローラ３３を付勢用レール５７へ向けて付勢しても良い。  
この場合は、バネの取り付け方によっては弦巻バネ１４分の厚みが削減でき、スライド機構９の全体の厚みをさらに薄く構成することも可能となる。
【００８１】
また、上述の実施例では、図６の平面図に示したように、ローラ３３が付勢用レール５７に右側から当接し、ローラ１９，２４がスライド用レール４２に左側から当接するようにして、ローラ３３とローラ１９，２４を、付勢用レール５７とスライド用レール４２の外側に配置している。すなわち、付勢力によって狭まろうとするローラ３３とローラ１９，２４が、付勢用レール５７とスライド用レール４２を外側から挟むように配置している。  
これに代えて、ローラ３３が付勢用レール５７に左側から当接し、ローラ１９，２４がスライド用レール４２に右側から当接するようにして、ローラ３３とローラ１９，２４を、付勢用レール５７とスライド用レール４２の内側に配置するように構成してもよい。すなわち、付勢力によって広がろうとするローラ３３とローラ１９，２４を、付勢用レール５７とスライド用レール４２の間に挟むように配置してもよい。
【実施例２】
【００８２】
次に、第２実施例として、手前側及び奥側のいずれの方向にも開移動するタイプのスライド機構９について、図１１のカムプレート５１を示す斜視図、図１２のスライド機構９を示す斜視図、及び図１３の携帯電話１の開閉動作を説明する説明図と共に説明する。
【００８３】
このスライド機構９は、前述した第１実施例とは、カムプレート５１の付勢用レール５７の形状が異なるように形成している。  
詳述すると、図１１の斜視図に示すように、付勢用レール５７は、右方向に凸の山型部分を前後方向に２つ備えて形成している。
【００８４】
奥側の凸部５８を有する山型部は、なだらかな傾斜の山型に形成している。  
手前側の凸部５９を有する山型部は、急な傾斜の山型に形成している。  
この凸部５８の高さｈ１と凸部５９の高さｈ２は、高さｈ１の方が高いように形成している。  
これにより、凸部５８側は、長いスライド距離でも十分に滑り出しができる程度の高さを確保している。また、凸部５９側は、短いスライド距離でも傾斜がきつくなりすぎてスムーズに移動しなくなることを防止するために、高さを抑えている。
【００８５】
凸部５８と凸部５９の間には、凹部５５及び凹部６３と同じ低さの凹部５４を設けており、この位置にローラ３３（図示省略）が来ると閉位置で安定するようにしている。
【００８６】
図１２の斜視図に示すように、この実施例のスライド機構９は、第１実施例と同一の付勢機構１０及びレールプレート４１を備えている。  
その他の構成についても、第１実施例と同一であるので、その詳細な説明を省略する。
【００８７】
以上の構成により、携帯電話１は、図１３の動作説明図に示すように、（Ｅ）の平面図に示す閉位置から、（Ｆ）の平面図に示す通常開位置、及び（Ｄ）の平面図に示す逆開位置の何れにも移動することができる。
【００８８】
閉位置と通常開位置との間の移動、及び閉位置と逆開位置との間の移動は、利用者がある程度カバー側筐体２と本体側筐体３とをスライド移動させて、ローラ３３が凸部５８あるいは凸部５９を乗り越えれば、後は自然に滑り出して自動でスライド移動できる。
【００８９】
携帯電話１は、手前側と奥側のいずれの方向にも開動作できるため、手前側へ開移動させたときと、奥側へ開移動させたときの機能を異ならせることができる。従って、例えば図１３の（Ｆ）に示した通常開位置では、文字入力等の操作を許容し、（Ｄ）に示した逆開位置では、カメラによる撮影を許容するといったことが可能となる。
【００９０】
なお、第２実施例では、手前側と奥側の両方へ開動作できる前後スライドの構成としたが、ローラ３３が凹部６３に当接している位置を閉位置、ローラ３３が凹部５４に当接している位置を第１開位置、ローラ３３が凹部５５に当接している位置を第２開位置として構成し、奥側へ２段階に開動作する構成としても良い。
【００９１】
このように多段階に開動作する多段階スライドの構成とすることで、開位置に対応した機能を携帯電話１に持たせることができる。  
また、カバー側筐体２の平面奥側に通話用スピーカ、本体側筐体３の平面手前側に通話用マイクを備えれば、どの段階の開位置で止めるかによって携帯電話１の長さを変化させることができるため、通話用スピーカと通話用マイクの間隔を利用者の好みの長さに調整して通話することができる。
【００９２】
また、前述の前後スライドと多段階スライドとを組み合わせることもできる。例えば、付勢用レール５７を山型部分を３つ備えるように形成すれば、前に２段、後へ１段というようなスライド機構を提供することも可能である。  
これにより、さらに自由度の高い開動作が可能となり、携帯電話１の多様性を高めて多種多様な利用者の要求を満足させることが可能となる。
【実施例３】
【００９３】
次に、第３実施例として、ローラ３３を平行移動させるタイプのスライド機構９について、図１４の斜視図、及び図１５の動作説明図と共に説明する。  
図１４は、付勢機構１０の斜視図を示している。付勢機構１０のプレート１１は、板状部材の右側（カムプレート側）に平面視逆コ字方のスライドガイド７３を備えた構成としている。
【００９４】
スライドガイド７３の２本のガイドアーム７４の対向面には、アームの長さ方向に沿って直線状のスライダ溝７５を形成し、このスライダ溝７５が互いに平行となるように構成している。
【００９５】
２つのスライダ溝７５の間には、板状のスライダ７１をスライド移動可能に取り付けている。スライダ７１は、前後方向の両側面にスライダ溝７５に係合する係合突起７２を備えており、これによってスライダ７１がスライダ溝７５に沿って安定して平行移動するようにしている。
【００９６】
スライダ７１の上面には、弦巻バネ１４の一端を接続するバネ係止突起１２を備えている。弦巻バネ１４の他端は、プレート１１の上面に備えたバネ係止突起２３に接続している。
【００９７】
スライダ７１の底面には、ローラ３３を上下方向を回転軸として軸支している。  
従って、ローラ３３はスライダ７１とともに平行移動することができる。  
また、プレート１１の底面には、第１実施例で説明したローラ１９，２４及び抜け止め突起１８を、同様の配置で備えている。  
携帯電話１とガイド機構４０については、第１実施例と同一のものを使用する。
【００９８】
以上の構成により、図１５の動作説明図に示すように、カバー側筐体２と本体側筐体３のスライド移動を付勢することができる。  
詳述すると、カバー側筐体２と本体側筐体３を閉位置（図８の（Ａ））とした状態では、図１５の（Ａ）の斜視図に示すように、付勢機構１０が最も手前に移動した位置となっている。
【００９９】
このとき、スライダ７１は、弦巻バネ１４の付勢力によって、スライダ溝７５の最も左側の位置で停止している。ローラ３３は、付勢用レール５７の凹部６３に当接して停止している。
【０１００】
カバー側筐体２と本体側筐体３を中立位置（図８の（Ｂ））までスライド移動させて半開位置にすると、図１５の（Ｂ）の斜視図に示すように、付勢機構１０が中央に移動した位置となる。
【０１０１】
このとき、スライダ７１は、弦巻バネ１４の付勢力に逆らって、スライダ溝７５の最も右側の位置で停止している。ローラ３３は、付勢用レール５７の凸部５８に当接して停止している。
【０１０２】
ここから更にカバー側筐体２と本体側筐体３を開方向へスライドさせると、弦巻バネ１４の付勢力により、ローラ３３が付勢用レール５７の斜面を移動し、自動で全開位置まで移動することとなる。
【０１０３】
この全開位置（図８の（Ｃ））までスライド移動させると、図１５の（Ｃ）の斜視図に示すように、付勢機構１０が最も奥に移動した位置となる。
【０１０４】
このとき、スライダ７１は、弦巻バネ１４の付勢力によって、スライダ溝７５の最も左側の位置で停止している。ローラ３３は、付勢用レール５７の凹部５５に当接して停止している。
【０１０５】
このように、ローラ３３を平行移動させるタイプのスライド機構９でも、第１実施例と同様の動作、及び効果を得ることができる。  
なお、第１実施例と同一の構成要素については、同一符号を付してその詳細な説明を省略する。
【実施例４】
【０１０６】
次に、第４実施例として、開方向と閉方向とで、付勢力により自然に滑り出す位置が異なるスライド機構９について、図１６の右上から見た斜視図、図１７の左上から見た斜視図、及び図１８の説明図と共に説明する。
【０１０７】
このスライド機構９は、前述した第３実施例とは、カムプレート５１の付勢用レール５７、及びスライダ７１へのローラ３３の取り付け部が異なり、カムプレート５１の右側に変段用プレート８４を備えて構成している。
【０１０８】
図１６に示したスライダ７１には、上下方向に長いシャフト８０を上下動可能に挿通しており、このシャフト８０の下端にローラ３３を回動可能に軸支している。これにより、ローラ３３が軸芯方向である上下方向に平行移動可能なようにしている。
【０１０９】
シャフト８０の下端近傍には、右方向（付勢用レール５７の高さ方向）へ凸となるよう棒状のガイドピン８２を、変段用バネ８１を介在させて備えている。これにより、ガイドピン８２の突出距離が幅方向（付勢用レール５７の高さ方向）に変化可能とし、また右側（付勢用レール５７の高さ方向）へ向けてガイドピン８２を付勢するようにしている。
【０１１０】
変段用プレート８４は、図１７の斜視図に示すように、前後方向に長いループ状のガイドカム溝８５を、左側面、すなわち付勢用レール５７（５７ａ，５７ｂ）との対向面に備えている。
【０１１１】
詳述すると、図１８の（Ａ）の左側面図に示すように、ガイドカム溝８５の底面には、前後方向（図１８の左右方向）に長い直線状の開移動レール８５ｃと閉移動レール８５ｂとを上下に平行に備えている。
【０１１２】
開移動レール８５ｃと閉移動レール８５ｂの各奥側の端部は、開閉切替レール８５ａで半円状に接続している。  
開移動レール８５ｃと閉移動レール８５ｂの各手前側の端部は、閉開切替レール８５ｄで半円状に接続している。  
ここで、奥側は図１７の左上側、手前側は図１７の右下側に各々相当する。
【０１１３】
開移動レール８５ｃは、図１８の（Ｂ）の平面一部断面図に点線で示すように、手前（図１８の右側）から奥（図１８の左側）へ行くに従って付勢用レール５７に近づくよう傾斜させている。
【０１１４】
閉移動レール８５ｂは、図１８の（Ｂ）の平面一部断面図（図１８の（Ａ）のＣ−Ｃ断面）に実線で示すように、奥から手前へ来るに従って付勢用レール５７に近づくよう傾斜させている。
【０１１５】
開閉切替レール８５ａは、開移動レール８５ｃの奥側端から閉移動レール８５ｂの奥側端へ向けて傾斜し、閉移動レール８５ｂの奥側端が落ち込むように鉛直にして段差を設けている。すなわち、ガイドカム溝８５において、奥側端（図１８の左側）では、上段の閉移動レール８５ｂの方が下段の開移動レール８５ｃよりも深くなっている。
【０１１６】
閉開切替レール８５ｄは、閉移動レール８５ｂの手前側端から開移動レール８５ｃの手前側端へ向けて傾斜し、開移動レール８５ｃの手前側端が落ち込むように鉛直にして段差を設けている。すなわち、ガイドカム溝８５において、手前側端（図１８の右側）では、下段の開移動レール８５ｃの方が上段の閉移動レール８５ｂよりも深くなっている。
【０１１７】
このガイドカム溝８５の形状により、開動作では、閉開切替レール８５ｄの段差（いわゆるハードカム機構）があるため、ガイドピン８２（図１６、図１７）の先端が必ず開移動レール８５ｃに沿って移動する。そして、全開位置まで行くと、変段用バネ８１の付勢力によってガイドピン８２が開閉切替レール８５ａ上を滑り、閉移動レール８５ｂの奥側端に落ち込んで停止する。開閉切替レール８５ａにおいて、変段用バネ８１に付勢されたガイドピン８１は段差の落ち込む方向にのみ移動するため、開移動レール８５ｃの方へ戻ることはない。
【０１１８】
従って、閉動作では、開閉切替レール８５ａの段差があるため、ガイドピン８２は必ず閉移動レール８５ｂに沿って移動する。そして、全閉位置まで行くと、変段用バネ８１の付勢力によってガイドピン８２が閉開切替レール８５ｄ上を滑り、開移動レール８５ｃの手前側端に落ち込んで停止する。  
続いて、再度の開動作では、閉開切替レール８５ｄの段差があるため、ガイドピン８２は必ず開移動レール８５ｃに沿って移動する。
【０１１９】
このように、ガイドピン８２は、開移動ではガイドカム溝８５の下段を、閉移動ではガイドカム溝８５の上段を移動することとなる。ローラ３３は、ガイドピン８２の上下動と共に上下動するため、同様に開移動ではガイドカム溝８５の下段に、閉移動ではガイドカム溝８５の上段に対応して移動することとなる。
【０１２０】
カムプレート５１の付勢用レール５７は、図１６に示したように、付勢機構１０（カバー側筐体２）を開移動させる際に作用する下段側の開付勢用レール５７ｂと、閉移動させる際に作用する上段側の閉付勢用レール５７ａとを、上下方向に重ねて形成している。
【０１２１】
閉付勢用レール５７ａと開付勢用レール５７ｂは、いずれも右側に凸な山型に形成している。そして、図１９のガイド機構４０の平面図に示すように、閉付勢用レール５７ａの頂点となる凸部５８ａが、開付勢用レール５７ｂの頂点となる凸部５８ｂより奥側にくるように、頂点位置をスライド方向に異ならせて構成している。  
なお、第３実施例と同一の構成要素については、同一符号を付してその詳細な説明を省略する。
【０１２２】
以上の構成により、開動作では、ローラ３３が開付勢用レール５７ｂ上を転動し、閉動作では、ローラ３３が閉付勢用レール５７ａ上を転動することとなる。  
開付勢用レール５７ｂは、凸部５８ｂを中央より手前側（閉位置側）に設けているため、利用者がカバー側筐体２を少し開移動させれば、ローラ３３が凸部５８ｂを乗り越え、後は自動で全開位置まで移動する。
【０１２３】
また、閉付勢用レール５７ａは、凸部５８ａを中央より奥側（開位置側）に設けているため、利用者がカバー側筐体２を少し閉移動させれば、ローラ３３が凸部５８ａを乗り越え、後は自動で全閉位置まで移動する。  
このように、開動作でも閉動作でも、少し手で移動させれば後は自動で移動させることが可能となり、利用者の操作感を向上させることができる。
【０１２４】
なお、ガイドカム溝８５をスライダ７１の上方あるいは下方に備え、このガイドカム溝８５内で上向きあるいは下向きのガイドピン８２を移動させる構成としても良い。  
この場合は、ローラ３３の上下動を直接的に行うことができ、付勢用レール５７の段切替を行う際に、力のかかる方向を一方向にして安定して動作させることができる。
【０１２５】
この発明の構成と、上述の実施形態との対応において、
この発明のカバーは、実施形態のカバー側筐体２に対応し、
以下同様に、
本体は、本体側筐体３に対応し、
付勢手段は、弦巻バネ１４に対応し、
スライド回転体は、ローラ１９，２４に対応し、
当接体及び回転体は、ローラ３３に対応し、
スライドガイドは、スライド用レール４２に対応し、
カムは、カムプレート５１に対応し、
ガイドレールは、付勢用レール５７、閉付勢用レール５７ａ及び開付勢用レール５７ｂに対応し、
変段手段は、シャフト８０、変段用バネ８１、ガイドピン８２、及びガイドカム溝８５に対応するも、
この発明は、上述の実施形態の構成のみに限定されるものではなく、多くの実施の形態を得ることができる。
【図面の簡単な説明】
【０１２６】
【図１】携帯電話の斜視図。
【図２】携帯電話を分解して説明する説明図。
【図３】スライド機構の分解斜視図。
【図４】付勢機構の斜視図。
【図５】スライド機構の斜視図。
【図６】スライド機構を一部横断して示す平面図。
【図７】スライド機構を一部縦断して示す正面図。
【図８】携帯電話のスライド開閉を平面図により説明する説明図。
【図９】スライド機構のスライド開閉を平面図により説明する説明図。
【図１０】スライド機構のスライド開閉を一部縦断して示す平面図により説明する説明図。
【図１１】第２実施例のカムプレートを示す斜視図。
【図１２】第２実施例のスライド機構を示す斜視図。
【図１３】第２実施例の携帯電話のスライド開閉を平面図により説明する説明図。
【図１４】第３実施例の付勢機構の斜視図。
【図１５】第３実施例のスライド開閉をスライド機構の斜視図により説明する説明図。
【図１６】第４実施例のスライド機構を右上から見た分解斜視図。
【図１７】第４実施例のスライド機構を左上から見た分解斜視図。
【図１８】第４実施例のガイドカム溝を説明する説明図。
【図１９】第４実施例のレールプレート、カムプレート及び変段用プレートの平面図。
【図２０】従来の携帯電話のスライド開閉を平面図により説明する説明図。
【符号の説明】
【０１２７】
１…携帯電話
２…カバー側筐体
３…本体側筐体
９…スライド機構
１４…弦巻バネ
１９，２４…ローラ
２８…アーム
３３…ローラ
４２…スライド用レール
５１…カムプレート
５７…付勢用レール
５７ａ…閉付勢用レール
５７ｂ…開付勢用レール
８０…シャフト
８１…変段用バネ
８２…ガイドピン
８５…ガイドカム溝
【図１】
2006186201.tif 000003
【図２】
2006186201.tif 000004
【図３】
2006186201.tif 000005
【図４】
2006186201.tif 000006
【図５】
2006186201.tif 000007
【図６】
2006186201.tif 000008
【図７】
2006186201.tif 000009
【図８】
2006186201.tif 000010
【図９】
2006186201.tif 000011
【図１０】
2006186201.tif 000012
【図１１】
2006186201.tif 000013
【図１２】
2006186201.tif 000014
【図１３】
2006186201.tif 000015
【図１４】
2006186201.tif 000016
【図１５】
2006186201.tif 000017
【図１６】
2006186201.tif 000018
【図１７】
2006186201.tif 000019
【図１８】
2006186201.tif 000020
【図１９】
2006186201.tif 000021
【図２０】
2006186201.tif 000022